(57)【特許請求の範囲】
【請求項１】
画像を撮影する撮影手段と、
前記撮影手段により撮影した画像を、当該画像の撮影情報と共に記録媒体に記録する記録手段と、
画像を選択する画像選択手段と、
前記画像選択手段により選択された画像に対応する撮影情報であって、印刷パラメータに関わる撮影情報を前記記録媒体から読み出し、読み出した撮影情報に基づいて、前記画像を印刷するための印刷パラメータを選択する印刷パラメータ選択手段と、
前記印刷パラメータ選択手段により選択された印刷パラメータを印刷設定画面の初期値として表示する表示制御手段と、
前記印刷設定画面において設定された印刷パラメータを、前記画像選択手段によって選択された画像の印刷パラメータとして設定する印刷パラメータ設定手段とを有することを特徴とするデジタルカメラ。
【請求項２】
前記表示制御手段は、前記印刷パラメータ選択手段により選択された印刷パラメータと他の印刷パラメータとを区別して表示することを特徴とする請求項１に記載のデジタルカメラ。
【請求項３】
画像を撮影する撮影手段と、
前記撮影手段により撮影した画像を、当該画像の撮影情報と共に記録媒体に記録する記録手段と、
画像を選択する画像選択手段と、
前記画像選択手段により選択された画像に対応する撮影情報であって、印刷パラメータに関わる撮影情報を前記記録媒体から読み出し、読み出した撮影情報に基づいて、前記画像を印刷するための印刷パラメータを選択する印刷パラメータ選択手段と、
前記印刷パラメータを設定するための印刷設定画面を表示する表示制御手段と、
前記印刷設定画面において設定された印刷パラメータを、前記画像選択手段によって選択された画像の印刷パラメータとして設定する印刷パラメータ設定手段とを有し、
前記表示制御手段は、前記印刷パラメータ選択手段により選択された印刷パラメータと他の印刷パラメータとを区別して表示することを特徴とするデジタルカメラ。
【請求項４】
前記画像選択手段により選択されている画像が変更されたことに応じて、前記印刷パラメータ選択手段は、新しく選択された画像を印刷するための印刷パラメータを選択することを特徴とする請求項１乃至３のいずれか１項に記載のデジタルカメラ。
【請求項５】
前記画像選択手段により選択されている画像が変更されたことに応じて、前記表示制御手段は、新しく選択された画像を印刷するための印刷パラメータと他の印刷パラメータとを区別する表示に変更することを特徴とする請求項２乃至４のいずれか１項に記載のデジタルカメラ。
【請求項６】
前記表示制御手段は、前記画像選択手段により選択された画像の撮影情報に基づいて選択された印刷パラメータであることを示すマークを付加して表示することを特徴とする請求項２乃至５のいずれか１項に記載のデジタルカメラ。
【請求項７】
印刷装置とのデータの送受信をする通信手段であって、前記印刷装置で使用可能な印刷パラメータのうち推奨される印刷パラメータに関する情報を含む印刷機能情報を受信する通信手段を有し、
前記表示制御手段は、前記通信手段により受信した印刷機能情報に応じて前記印刷装置において推奨される印刷パラメータを決定し、前記推奨される印刷パラメータを、前記印刷パラメータ選択手段により選択された印刷パラメータおよび他の印刷パラメータとは異なるように表示することを特徴とする請求項２乃至６のいずれか１項に記載のデジタルカメラ。
【請求項８】
前記表示制御手段は、前記印刷パラメータ選択手段により選択された印刷パラメータと前記推奨される印刷パラメータとにそれぞれ異なるマークを付加して表示することを特徴とする請求項７に記載のデジタルカメラ。
【請求項９】
前記印刷機能情報は、前記印刷装置で使用可能な印刷パラメータの情報を含んでおり、
前記印刷パラメータ選択手段により選択された印刷パラメータが、前記印刷装置で使用可能な印刷パラメータに含まれていない場合は、前記選択された印刷パラメータが前記印刷装置において使用可能でない旨を警告する警告手段を有することを特徴とする請求項７または８に記載のデジタルカメラ。
【請求項１０】
さらに、前記通信手段により受信した印刷機能情報応じて決定される前記推奨される印刷パラメータまたは前記印刷パラメータ選択手段により選択される印刷パラメータのうち、どちらの印刷パラメータを前記印刷設定画面の初期値として使用するかを選択する初期値設定手段を有することを特徴とする請求項７または８に記載のデジタルカメラ。
【請求項１１】
前記印刷パラメータ選択手段は、前記撮影情報に含まれる画像データの圧縮率に基づいて、印刷品質に関する印刷パラメータを選択することを特徴とする請求項１乃至１０のいずれか１項に記載のデジタルカメラ。
【請求項１２】
前記記録手段は、前記撮影手段による撮影時に被写体のフォーカス合焦位置を記録し、
前記印刷パラメータ選択手段は、前記フォーカス合焦位置に基づいて、印刷範囲に関する印刷パラメータを選択することを特徴とする請求項１乃至１１のいずれか１項に記載のデジタルカメラ。
【請求項１３】
画像を撮影する撮影手段により撮影した画像を、当該画像の撮影情報と共に記録媒体に記録する記録工程と、
画像を選択する画像選択工程と、
前記画像選択工程において選択された画像に対応する撮影情報であって、印刷パラメータに関わる撮影情報を前記記録媒体から読み出し、読み出した撮影情報に基づいて、前記画像を印刷するための印刷パラメータを選択する印刷パラメータ選択工程と、
前記印刷パラメータ選択工程において選択された印刷パラメータを印刷設定画面の初期値として表示する表示制御工程と、
前記印刷設定画面において設定された印刷パラメータを、前記画像選択工程において選択された画像の印刷パラメータとして設定する印刷パラメータ設定工程とを有することを特徴とするデジタルカメラの制御方法。
【請求項１４】
画像を撮影する撮影手段により撮影した画像を、当該画像の撮影情報と共に記録媒体に記録する記録工程と、
画像を選択する画像選択工程と、
前記画像選択工程において選択された画像に対応する撮影情報であって、印刷パラメータに関わる撮影情報を前記記録媒体から読み出し、前記読み出した撮影情報に基づいて、前記画像を印刷するための印刷パラメータを選択する印刷パラメータ選択工程と、
前記印刷パラメータを設定するための印刷設定画面を表示する表示制御工程と、
前記印刷設定画面において設定された印刷パラメータを、前記画像選択工程において選択された画像の印刷パラメータとして設定する印刷パラメータ設定工程とを有し、
前記表示制御工程では、前記印刷パラメータ選択工程で選択された印刷パラメータと他の印刷パラメータとを区別して表示することを特徴とするデジタルカメラの制御方法。
【請求項１５】
記録媒体に記録されている画像の中から印刷対象の画像を選択する画像選択工程と、
前記画像選択工程において選択された画像に対応する撮影情報であって、印刷パラメータに関わる撮影情報を前記記録媒体から読み出し、読み出した撮影情報に基づいて、前記画像を印刷するための印刷パラメータを選択する印刷パラメータ選択工程と、
前記印刷パラメータ選択工程において選択された印刷パラメータを印刷設定画面の初期値として表示する表示制御工程と、
前記印刷設定画面において設定された印刷パラメータを、前記画像選択工程において選択された画像の印刷パラメータとして設定する印刷パラメータ設定工程とをコンピュータに実行させることを特徴とするプログラム。
【請求項１６】
記録媒体に記録されている画像の中から印刷対象の画像を選択する画像選択工程と、
前記画像選択工程において選択された画像に対応する撮影情報であって、印刷パラメータに関わる撮影情報を前記記録媒体から読み出し、前記読み出した撮影情報に基づいて、前記画像を印刷するための印刷パラメータを選択する印刷パラメータ選択工程と、
前記印刷パラメータを設定するための印刷設定画面を表示する表示制御工程であって、前記印刷パラメータ選択工程で選択された印刷パラメータと他の印刷パラメータとを区別して表示する表示制御工程と、
前記印刷設定画面において設定された印刷パラメータを、前記画像選択工程において選択された画像の印刷パラメータとして設定する印刷パラメータ設定工程とをコンピュータに実行させることを特徴とするプログラム。
【請求項１７】
請求項１５または１６に記載のプログラムを記憶したことを特徴とするコンピュータ読み取り可能な記憶媒体。
【発明の詳細な説明】
【技術分野】
【０００１】
本発明はデジタルカメラ、デジタルカメラの制御方法、プログラム及び記憶媒体に関し、特に、記録媒体から画像データを読み出し、所望の印刷パラメータ（用紙サイズ、印刷レイアウト等）とともに画像印刷装置に送信し画像を印刷する印刷システムにおける印刷パラメータの設定方式に用いて好適な技術に関する。
【背景技術】
【０００２】
従来の印刷システムで印刷を行う場合には、まずホストコンピュータにプリンタを接続し、印刷をしたい文書や図面、または画像等を表示・加工できるアプリケーションソフトウェアをホストコンピュータ上で起動させる。そして、印刷したいデータを読み出し、印刷パラメータを設定して、プリンタにデータを送信して印刷を行う。このとき、使用者は自由に各種印刷パラメータ（例えば、印刷品質用紙サイズ、印刷部数、印刷範囲、印刷レイアウトなど）を指定することができる。
【０００３】
このような印刷システムでは、アプリケーションソフトウェアが印刷結果をプレビュー表示することによって、所望の印刷結果を得られる印刷パラメータを使用者が設定することができる。また、プリンタ側の印刷設定をホストコンピュータが取得し、その設定を用いて印刷を行う印刷システムも開示されている（例えば、特許文献１参照）。
【０００４】
また、近年においては、ホストコンピュータを介さずにデジタルカメラ等の画像撮影装置を直接プリンタに接続し、画像撮影装置上で印刷パラメータを設定して印刷するシステムがある。しかし、このような印刷システムでは、印刷結果をプレビュー表示することができず、使用者は印刷パラメータをどのように設定すればよいか判断に迷い、所望の印刷結果を得られない可能性がある。そこで、プリンタ側の印刷設定を画像撮影装置側が取得し、その設定を用いて印刷を行う印刷システムも容易に類推できる。
【０００５】
【特許文献１】特開２００１−１５９９６２号公報
【発明の開示】
【発明が解決しようとする課題】
【０００６】
前記のように従来の印刷システムでは、使用者がプリンタ側の設定を考慮しながら印刷パラメータを設定しているが、印刷するデータによっては、このように指定した印刷パラメータが最適ではない場合がある。
【０００７】
例えば、低解像度の画像をＡ４サイズやＡ３サイズなどの大きな用紙サイズを指定して印刷した場合、元となるデータの解像度が低いと印刷結果は非常に粗くなってしまう。また、逆に高解像度の画像をＬ判などの小さな紙サイズで印刷すると、高解像度の画像である長所が薄れてしまう。
【０００８】
このように印刷パラメータは、印刷するデータによって変化するものであり、使用者が適切な印刷パラメータの組み合わせを見つけ出すことは難しくなっているという問題点があった。
【０００９】
本発明は前述の問題点に鑑み、画像によって適切な印刷パラメータを示すことができるようにすることを目的としている。
【課題を解決するための手段】
【００１０】
本発明のデジタルカメラは、画像を撮影する撮影手段と、前記撮影手段により撮影した画像を、当該画像の撮影情報と共に記録媒体に記録する記録手段と、画像を選択する画像選択手段と、前記画像選択手段により選択された画像に対応する撮影情報であって、印刷パラメータに関わる撮影情報を前記記録媒体から読み出し、読み出した撮影情報に基づいて、前記画像を印刷するための印刷パラメータを選択する印刷パラメータ選択手段と、前記印刷パラメータ選択手段により選択された印刷パラメータを印刷設定画面の初期値として表示する表示制御手段と、前記印刷設定画面において設定された印刷パラメータを、前記画像選択手段によって選択された画像の印刷パラメータとして設定する印刷パラメータ設定手段とを有することを特徴とする。
また、本発明のデジタルカメラの他の特徴とするところは、画像を撮影する撮影手段と、前記撮影手段により撮影した画像を、当該画像の撮影情報と共に記録媒体に記録する記録手段と、画像を選択する画像選択手段と、前記画像選択手段により選択された画像に対応する撮影情報であって、印刷パラメータに関わる撮影情報を前記記録媒体から読み出し、前記読み出した撮影情報に基づいて、前記画像を印刷するための印刷パラメータを選択する印刷パラメータ選択手段と、前記印刷パラメータを設定するための印刷設定画面を表示する表示制御手段と、前記印刷設定画面において設定された印刷パラメータを、前記画像選択手段によって選択された画像の印刷パラメータとして設定する印刷パラメータ設定手段とを有し、前記表示制御手段は、前記印刷パラメータ選択手段により選択された印刷パラメータと他の印刷パラメータとを区別して表示することを特徴とする。
【００１３】
本発明のデジタルカメラの制御方法は、画像を撮影する撮影手段により撮影した画像を、当該画像の撮影情報と共に記録媒体に記録する記録工程と、画像を選択する画像選択工程と、前記画像選択工程において選択された画像に対応する撮影情報であって、印刷パラメータに関わる撮影情報を前記記録媒体から読み出し、読み出した撮影情報に基づいて、前記画像を印刷するための印刷パラメータを選択する印刷パラメータ選択工程と、前記印刷パラメータ選択工程において選択された印刷パラメータを印刷設定画面の初期値として表示する表示制御工程と、前記印刷設定画面において設定された印刷パラメータを、前記画像選択工程において選択された画像の印刷パラメータとして設定する印刷パラメータ設定工程とを有することを特徴とする。
また、本発明のデジタルカメラの制御方法の他の特徴とするところは、画像を撮影する撮影手段により撮影した画像を、当該画像の撮影情報と共に記録媒体に記録する記録工程と、画像を選択する画像選択工程と、前記画像選択工程において選択された画像に対応する撮影情報であって、印刷パラメータに関わる撮影情報を前記記録媒体から読み出し、前記読み出した撮影情報に基づいて、前記画像を印刷するための印刷パラメータを選択する印刷パラメータ選択工程と、前記印刷パラメータを設定するための印刷設定画面を表示する表示制御工程と、前記印刷設定画面において設定された印刷パラメータを、前記画像選択工程において選択された画像の印刷パラメータとして設定する印刷パラメータ設定工程とを有し、前記表示制御工程では、前記印刷パラメータ選択工程で選択された印刷パラメータと他の印刷パラメータとを区別して表示することを特徴とする。
【００１４】
本発明のプログラムは、記録媒体に記録されている画像の中から印刷対象の画像を選択する画像選択工程と、前記画像選択工程において選択された画像に対応する撮影情報であって、印刷パラメータに関わる撮影情報を前記記録媒体から読み出し、読み出した撮影情報に基づいて、前記画像を印刷するための印刷パラメータを選択する印刷パラメータ選択工程と、前記印刷パラメータ選択工程において選択された印刷パラメータを印刷設定画面の初期値として表示する表示制御工程と、前記印刷設定画面において設定された印刷パラメータを、前記画像選択工程において選択された画像の印刷パラメータとして設定する印刷パラメータ設定工程とをコンピュータに実行させることを特徴とする。
また、本発明のプログラムの他の特徴とするところは、記録媒体に記録されている画像の中から印刷対象の画像を選択する画像選択工程と、前記画像選択工程において選択された画像に対応する撮影情報であって、印刷パラメータに関わる撮影情報を前記記録媒体から読み出し、前記読み出した撮影情報に基づいて、前記画像を印刷するための印刷パラメータを選択する印刷パラメータ選択工程と、前記印刷パラメータを設定するための印刷設定画面を表示する表示制御工程であって、前記印刷パラメータ選択工程で選択された印刷パラメータと他の印刷パラメータとを区別して表示する表示制御工程と、前記印刷設定画面において設定された印刷パラメータを、前記画像選択工程において選択された画像の印刷パラメータとして設定する印刷パラメータ設定工程とをコンピュータに実行させることを特徴とする。
【００１５】
本発明の記憶媒体は、前記の何れかに記載のプログラムを記憶したことを特徴とする。
【発明の効果】
【００１６】
本発明によれば、使用者が印刷パラメータの設定を行わずに適切な印刷パラメータを設定することができる。また、使用者が印刷パラメータを手動で設定する際には、表示された印刷パラメータの初期値を参考にして、使用者が望む印刷パラメータを設定することができる。
【発明を実施するための最良の形態】
【００２２】
（第１の実施形態）
以下、本発明の実施形態について図面を参照しながら説明する。
図１は、本実施形態における印刷システムの一例を示すブロック図であり、画像撮影装置１００と画像印刷装置１２０とから構成されている。具体的には、例えば、デジタルカメラとプリンタとを接続した印刷システムが考えられる。また、画像撮影装置１２０は画像生成装置１３０と画像再生装置１４０とから構成されている。
【００２３】
まず、図１において、画像撮影モード時の処理について説明する。撮影部１０１は、例えば、レンズ光学系によって被写体像をＣＣＤ面上に結像させ、ＣＣＤによって光電変換を行って撮像信号を生成し、さらにはＡ／Ｄ変換器によってデジタル画像信号データを生成し、フレームメモリに格納する機能を有している。
【００２４】
撮影情報生成部１０２は、フレームメモリに画像信号データが格納されると、撮影部１０１から各種撮影パラメータを取得し、撮影パラメータを適切な形式に符号化し、撮影情報を生成する。撮影パラメータとしては、例えば、画像の圧縮率、画像の幅、高さ、シャッター速度、レンズパラメータ、撮影モード、ホワイトバランスまたはフォーカス合焦位置等が考えられる。
【００２５】
画像データ記録部１０３は、撮影部１０１から送られる画像信号データ及び撮影情報生成部１０２から送られる撮影情報を、適切なファイル形式で記録媒体１０４に記録する。例えば、図２に示すように撮影情報２０２を画像ファイル２００の一部として記録するファイル形式がある。画像ファイル２００は、画像ファイルそのものの情報を保持するヘッダデータ２０１と、前記撮影情報２０２と、画像データ２０３とから構成されている。
【００２６】
また、図３に示すように撮影情報３０２を画像ファイル３００とは別の撮影情報ファイル３０１として記録するファイル形式もある。画像ファイル３００のファイル名を「ＩＭＧ＿０１０１．ＪＰＧ」として記録し、その後、拡張子が異なるファイル名「ＩＭＧ＿０１０１．ＰＲＴ」として撮影情報を記録することによって、画像ファイル３００と撮影情報ファイル３０１との関連付けを行うことができる。
【００２７】
次に、図１において、画像印刷モード時の処理について説明する。画像データ読出部１０５は、記録媒体１０４に記録されている画像データ及び撮影情報を読み出し、撮影情報を印刷パラメータ取得部１０６に送り、印刷実行時は画像データを第１のデータ通信部１１０に送る。さらに、画像データをフレームメモリに展開し、ディスプレイ１０８上にプレビュー表示することも可能である。
【００２８】
印刷パラメータ取得部１０６は、撮影情報から印刷パラメータとして適したパラメータ値を取得し、印刷パラメータ設定部１０７に送る。以下、印刷パラメータ取得部１０６について、図５のフローチャートを参照しながら説明する。
【００２９】
図５は、本実施形態における印刷パラメータ取得部１０６により行われる処理手順の一例を示すフローチャートである。
図５における印刷パラメータ取得部１０６は、選択されている画像に適した印刷品質を画像データの圧縮率から計算し、印刷パラメータとして取得する。また、使用可能な印刷パラメータを、「ドラフト（低品質）」「ノーマル（普通）」「ファイン（高品質）」の３種類とする。
【００３０】
ＪＰＥＧ等の不可逆圧縮方式の場合、画像の圧縮率が高い程、画像データの質は劣化しているので、元の画像データの質が低い場合は、印刷品質パラメータを高品質に設定しても、印刷結果の品質が高くなる可能性は低い。そこで、まず圧縮率が閾値Ｒ１以上か否かを判定する（ステップＳ５０１）。この判定の結果、圧縮率がＲ１以上の場合は、印刷品質はドラフト品質が適しているとして印刷パラメータを設定する（ステップＳ５０２）。
【００３１】
一方、ステップＳ５０１の判定の結果、圧縮率がＲ１より小さい場合は、圧縮率が閾値Ｒ２以上か否かを判定する（ステップＳ５０３）。この判定の結果、圧縮率がＲ２以上の場合は、印刷品質はノーマル品質が適しているとして印刷パラメータを設定する（ステップＳ５０４）。一方、ステップＳ５０３の判定の結果、圧縮率がＲ２より小さい場合は、印刷品質はファイン品質が適しているとして印刷パラメータを設定する（ステップＳ５０５）。
【００３２】
印刷パラメータ設定部１０７は、ディスプレイ１０８に図４（ａ）に示す印刷設定画面４００を表示し、操作スイッチ１０９からの入力によって印刷設定画面４００を更新する。図４（ｂ）に示す十字キー４０２の上下スイッチが押下されることによってカーソル４０１が移動する。また、十字キー４０２の左右ボタンが押下されることによってカーソル４０１が置かれている項目の印刷パラメータ値が変化する。
【００３３】
印刷品質を例にすると、図４（ｃ）に示すようにドラフト品質４０４、ノーマル品質４０５、ファイン品質４０６という順序で切り替る。印刷設定画面４００が表示された時は、印刷パラメータ取得部１０６から受信した印刷パラメータを初期値として設定する。
【００３４】
使用者によって選択されている画像が変更されると、同様に、印刷パラメータ取得部１０６から、その画像に適した印刷パラメータを受信し、その値で印刷設定を初期化する。また、印刷パラメータ取得部１０６から受信した印刷パラメータ値に基づいて、選択されている画像に適した値であることを示すマーク４０７を表示する。
【００３５】
印刷設定画面４００で「プリント」にカーソルを置き、ＳＥＴスイッチ４０３を押すことによって、設定された印刷パラメータで選択されている画像の印刷が実行される。画像データ読出部１０５は画像データを第１のデータ通信部１１０に送信し、また、印刷パラメータ設定手段１０７は印刷パラメータを第１のデータ通信部１１０に送信する。そして、第１のデータ通信部１１０は、適切な形式でデータを符号化し、画像印刷装置１２０に符号化されたデータを送信する。
【００３６】
画像印刷装置１２０は、印刷機構部１２２を備え、第２のデータ通信部１２１によって外部から送られてきた印刷データを受信し、画像を印刷する。一般的には、印刷装置はパーソナルコンピュータと接続するためのインタフェースを備えていることが多いが、本実施形態では、画像撮影装置１００と接続するためのインタフェースも備えている。このようなインタフェースの例としては、ＵＳＢ（Universal Serial Bus）等の有線接続やＩＥＥＥ８０２．１１ｂ等の無線接続がある。
【００３７】
（第２の実施形態）
本実施形態においては、画像印刷装置６２０が印刷機能情報を有している場合について説明する。
図６は、本実施形態における印刷システムの一例を示すブロック図であり、第１の実施形態と同様に、画像撮影装置６００と画像印刷装置６２０とから構成されている。さらに、画像撮影装置６００は画像生成装置１３０と画像再生装置６４０とから構成されている。本実施形態では、第１の実施形態の画像撮影装置１００に印刷機能受信部６１１が追加されており、画像印刷装置１２０に印刷機能送信部６２３が追加されている。なお、図１と同一の構成については同一の番号を付しており、重複する構成については説明を省略する。
【００３８】
画像印刷装置６２０における印刷機能送信部６２３は、画像印刷装置６２０がサポートしている印刷機能情報を印刷機構部１２２から取得し、適切な形式で符号化する。そして、第２のデータ通信部１２１を通して、符号化された印刷機能情報を画像撮影装置６００に送信する。
【００３９】
画像撮影装置６００における印刷機能受信部６１１は、第１のデータ通信部１１０を通して、画像印刷装置６２０がサポートしている印刷機能情報を受信し、印刷パラメータ取得部１０６及び印刷パラメータ設定部１０７に送る。
【００４０】
印刷機能情報の例を図７に示す。印刷機能情報は各種パラメータ種別毎に使用可能な印刷パラメータ値リスト７００の形式となっている。また、同時に、画像印刷装置６２０側で推奨される印刷パラメータ値がある場合は、その推奨値情報７０１を送受信することができる。
【００４１】
画像印刷装置６２０側の推奨値がある場合の印刷設定画面８００の表示例を図８に示す。図８（ａ）において、印刷設定画面８００にカーソル８０１がある。カーソル８０１を選択すると、図８（ｂ）に示すように印刷パラメータ取得部１０６から送られた印刷パラメータ値であることを示すマーク８０２と、画像印刷装置６２０側で推奨されている印刷パラメータ値であることを示すマーク８０３とを表示する。また、使用可能な印刷パラメータ値リスト７００に含まれていない場合は表示せず、使用者が選択できないようにする。
【００４２】
印刷パラメータ取得部１０６は、印刷機能情報と撮影情報とから印刷パラメータとして適したパラメータ値を取得し、印刷パラメータ設定部１０７に送信する。以下、印刷パラメータ取得部１０６について、図９を用いて説明する。
【００４３】
図９は、本実施形態における印刷パラメータ取得部１０６により行われる処理手順の一例を示すフローチャートである。
まず、第１の実施形態と同様に、圧縮率が閾値Ｒ１以上か否かを判定する（ステップＳ９０１）。この判定の結果、圧縮率がＲ１以上の場合は、ドラフト品質が適しているとして、ドラフト品質が使用可能か否かを判定する（ステップＳ９０２）。
【００４４】
この判定の結果、ドラフト品質が使用可能な場合は、印刷品質をドラフト品質にして印刷パラメータを設定する（ステップＳ９０３）。一方、ステップＳ９０１の判定の結果、圧縮率がＲ１より小さい場合、または、ステップＳ９０２の判定の結果、ドラフト品質が使用可能でない場合は、圧縮率が閾値Ｒ２以上か否かを判定する（ステップＳ９０４）。
【００４５】
この判定の結果、圧縮率がＲ２以上の場合は、ノーマル品質が適しているとして、ノーマル品質が使用可能か否かを判定する（ステップＳ９０５）。この判定の結果、ノーマル品質が使用可能な場合は、印刷品質をノーマル品質にして印刷パラメータを設定する（ステップＳ９０６）。
【００４６】
一方、ステップＳ９０４の判定の結果、圧縮率がＲ２より小さい場合、または、ステップＳ９０５の判定の結果、ノーマル品質が使用可能でない場合は、ファイン品質が適しているとして、ファイン品質が使用可能か否かを判定する（ステップＳ９０７）。この判定の結果、ファイン品質が使用可能な場合は、印刷品質をファイン品質にして印刷パラメータを設定する（ステップＳ９０８）。一方、ステップＳ９０７の判定の結果、ファイン品質が使用可能でない場合は、使用可能な印刷品質がない旨を使用者に警告表示して（ステップＳ９０９）、処理を終了する。
【００４７】
（第３の実施形態）
第２の実施形態の印刷パラメータ取得部１０６において、別の実施形態として、図１０に示すフローチャートを参照しながら説明する。なお、機能構成については第２の実施形態と同様であるため、説明を省略する。
【００４８】
図１０は、本実施形態における印刷パラメータ取得部１０６により行われる処理手順の一例を示すフローチャートである。
まず、第１の実施形態と同様に、圧縮率が閾値Ｒ１以上か否かを判定する（ステップＳ１００１）。この判定の結果、圧縮率がＲ１以上の場合は、印刷品質はドラフト品質が適しているとして印刷パラメータを設定する（ステップＳ１００２）。
【００４９】
一方、ステップＳ１００１の判定の結果、圧縮率がＲ１より小さい場合は、圧縮率が閾値Ｒ２以上か否かを判定する（ステップＳ１００３）。この判定の結果、圧縮率がＲ２以上の場合は、印刷品質はノーマル品質が適しているとして印刷パラメータを設定する（ステップＳ１００４）。一方、ステップＳ１００３の判定の結果、圧縮率がＲ２より小さい場合は、印刷品質はファイン品質が適しているとして印刷パラメータを設定する（ステップＳ１００５）。
【００５０】
前記の処理で印刷品質が決定すると、選択された印刷品質が印刷パラメータ値リスト７００内に存在し使用可能か否かを判定する（ステップＳ１００６）。この判定の結果、選択された印刷品質が使用可能な場合は、印刷品質をそのままとして終了する。
【００５１】
一方、ステップＳ１００６の判定の結果、選択された印刷品質が使用可能でない場合は、例えば図１１（ａ）に示すように、適した値が使用できない旨を使用者に通知する警告画面１１００を表示する（ステップＳ１００７）。
【００５２】
その後、印刷品質を画像印刷装置６２０側の推奨値に設定して（ステップＳ１００８）、処理を終了する。また、図９に示す処理によって印刷機能情報を参照して、再度取得することもできる。
【００５３】
（第４の実施形態）
第２の実施形態の印刷パラメータ取得部１０６において、別の実施形態として、図１２に示すフローチャートを参照しながら説明する。なお、機能構成については第２の実施形態と同様であるため、説明を省略する。
【００５４】
図１２は、本実施形態における印刷パラメータ取得部１０６により行われる処理手順の一例を示すフローチャートである。
ステップＳ１２０１からステップＳ１２０８までは、図１０におけるステップＳ１００１からステップＳ１００８と同様である。
【００５５】
ステップＳ１２０６の判定の結果、選択された印刷品質が使用可能な場合は、撮影情報によって決定された印刷パラメータ値または画像印刷装置６２０側の推奨印刷パラメータ値のどちらを使用するかを使用者に選択させるメッセージを表示する（ステップＳ１２０９）。メッセージについては、図１１（ｂ）に示すようなメッセージ画面１１０１を表示する。
【００５６】
次に、画像印刷装置６２０側の推奨印刷パラメータ値を使用するか否かを判定する（ステップＳ１２１０）。この判定の結果、使用者によって画像印刷装置６２０側の推奨印刷パラメータ値を使用することが選択された場合は、印刷品質を画像印刷装置６２０側の推奨値に設定する（ステップＳ１２１１）。
【００５７】
一方、ステップＳ１２１０の判定の結果、画像印刷装置６２０側の推奨印刷パラメータ値を使用することが選択されなかった場合は、撮影情報によって決定された印刷パラメータ値を設定し、処理を終了する。
【００５８】
（第５の実施形態）
第１の実施形態の印刷パラメータ取得部１０６において、印刷範囲（トリミング範囲）の印刷パラメータを決定する実施形態について説明する。なお、機能構成については第１の実施形態と同様であるため、説明を省略する。
【００５９】
印刷範囲を指定する際の表示例を図１３に示す。図１３（ａ）に示す印刷設定画面１３００においてカーソルが「トリミング」項目に位置し、ＳＥＴスイッチ４０３が押下されると、図１３（ｂ）に示すような印刷範囲指定画面１３０１を表示する。印刷範囲指定画面１３０１においては、印刷範囲枠１３０２が表示され、十字キー４０２が押下されることによって、印刷範囲枠１３０２の位置が移動する。
【００６０】
印刷パラメータ取得部１０６は、印刷範囲が指定されていない状態で印刷範囲指定画面１３０１が表示されたときにおける印刷範囲枠１３０２の初期設定値を取得する。
【００６１】
また、図１４（ａ）に示すように、ＡＦ（オートフォーカス）モードで撮影すると、被写体の位置に設定されたＡＦ枠１４００に対して自動で合焦する。通常は、被写体の位置にＡＦ枠１４００を設定するので、ＡＦ枠の位置を撮影情報として記録する。印刷時は、ＡＦ枠１４００の位置に被写体が存在しているものとして、図１４（ｂ）に示すように印刷範囲１４０１を決定することができる。
【００６２】
図１５は、本実施形態において、ＡＦモードで撮影した場合における印刷パラメータ取得部１０６により行われる処理手順の一例を示すフローチャートである。
まず、既に印刷範囲１４０１が指定されているか否か判定する（ステップＳ１５０１）。この判定の結果、印刷範囲１４０１が指定されている場合は、その印刷範囲１４０１を印刷パラメータとして設定する（ステップＳ１５０２）。
【００６３】
一方、ステップＳ１５０１の判定の結果、印刷範囲１４０１が指定されていない場合は、撮影情報にＡＦ枠情報があるか否かを判定する（ステップＳ１５０３）。この判定の結果、ＡＦ枠情報がない場合は、印刷範囲１４０１を標準値で設定する（ステップＳ１５０４）。標準値としては、枠位置は中央であり、枠サイズは最小であるなどが考えられる。
【００６４】
一方、ステップＳ１５０３の判定の結果、ＡＦ枠情報がある場合は、ＡＦ枠情報を印刷範囲１４０１に変換し、ＡＦ枠の位置に応じて印刷範囲１４０１を設定し（ステップＳ１５０５）、処理を終了する。
【００６５】
取得された印刷範囲１４０１は、印刷パラメータ設定部１０７に送信され、印刷範囲設定画面１３０１において、印刷範囲枠１３０２が表示される。さらに、前述したように印刷範囲設定画面１３０１においては、使用者が自由に印刷範囲１４０１を変更することもできる。
【００６６】
（本発明に係る他の実施形態）
第１〜５の実施形態においては、デジタルカメラとプリンタとを接続した印刷システムを想定している。一方、すでに記録媒体１０４に画像データが記録されている場合は、撮影機能を有する必要はなく、画像生成装置１３０（撮影部１０１、撮影情報生成部１０２及び画像データ記録部１０３）を持たない画像再生装置のみにおいても、本発明を実施することは可能である。具体的には、専用の印刷ソフトウェアを搭載したパーソナルコンピュータとプリンタとを接続した印刷システムが考えられる。
【００６７】
前述した本発明の実施形態における画像撮影装置及び画像再生装置を構成する各手段、並びに印刷設定方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００６８】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００６９】
なお、本発明は、前述した実施形態の機能を実現するソフトウェアのプログラム（実施形態では図５、９、１０、１２、１５に示すフローチャートに対応したプログラム）を、システムまたは装置に直接、または遠隔から供給する。そして、そのシステムまたは装置のコンピュータが前記供給されたプログラムコードを読み出して実行することによっても達成される場合を含む。
【００７０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００７１】
その場合、プログラムの機能を有していれば、オブジェクトコード、インタプリタにより実行されるプログラム、ＯＳに供給するスクリプトデータ等の形態であってもよい。
【００７２】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００７３】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００７４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７５】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００７６】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００７７】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００７８】
【図１】本発明の第１の実施形態における印刷システムの構成例を示すブロック図である。
【図２】本発明の第１の実施形態における撮影情報の記録例を示す図である。
【図３】本発明の第１の実施形態における撮影情報の記録例を示す図である。
【図４】本発明の第１の実施形態における印刷パラメータ設定画面の表示、スイッチ及び印刷品質のスクロール順序の一例を示す図である。
【図５】本発明の第１の実施形態における印刷パラメータ取得部の処理手順の一例を示すフローチャートである。
【図６】本発明の第２の実施形態における印刷システムの構成例を示すブロック図である。
【図７】本発明の第２の実施形態における使用可能な印刷機能情報のデータ構造の一例を示す図である。
【図８】本発明の第２の実施形態における印刷パラメータ設定画面の表示及び印刷品質のスクロール順序の一例を示す図である。
【図９】本発明の第２の実施形態における印刷パラメータ取得部の処理手順の一例を示すフローチャートである。
【図１０】本発明の第３の実施形態における印刷パラメータ取得部の処理手順の一例を示すフローチャートである。
【図１１】本発明の第３の実施形態における警告表示及び印刷設定の確認の表示の一例を示す図である。
【図１２】本発明の第４の実施形態における印刷パラメータ取得部の処理手順の一例を示すフローチャートである。
【図１３】本発明の第５の実施形態における印刷範囲指定時に関わる表示の一例を示す図である。
【図１４】本発明の第５の実施形態における印刷範囲を指定する画面の一例を示す図である。
【図１５】本発明の第５の実施形態における印刷パラメータ取得部の処理手順の一例を示すフローチャートである。
【符号の説明】
【００７９】
１００  画像撮影装置
１０１  撮影部
１０２  撮影情報生成部
１０３  画像データ記録部
１０４  記録媒体
１０５  画像データ読出部
１０６  印刷パラメータ取得部
１０７  印刷パラメータ設定部
１０８  ディスプレイ
１０９  操作スイッチ
１１０  第１のデータ通信部
１２０  画像印刷装置
１２１  第２のデータ通信部
１２２  印刷機構部
１３０  画像生成装置
１４０  画像再生装置
【図１】
0004579814.tif 000002
【図２】
0004579814.tif 000003
【図３】
0004579814.tif 000004
【図４】
0004579814.tif 000005
【図５】
0004579814.tif 000006
【図６】
0004579814.tif 000007
【図７】
0004579814.tif 000008
【図８】
0004579814.tif 000009
【図９】
0004579814.tif 000010
【図１０】
0004579814.tif 000011
【図１１】
0004579814.tif 000012
【図１２】
0004579814.tif 000013
【図１３】
0004579814.tif 000014
【図１４】
0004579814.tif 000015
【図１５】
0004579814.tif 000016